(57)【特許請求の範囲】
【請求項１】
被写体を照明する補助光手段と、
所定の間隔で配置された一対の光学手段と、
上記各光学手段を通過した上記被写体からの光を受光して積分することにより２つの像信号を出力する受光手段と、
上記２つの像信号の相対的像間隔に基いて被写体距離を演算する第１の測距手段と、
上記補助光手段による照明時と非照明時の上記受光手段の出力する像信号から求められる光量差に相当する情報に基いて被写体距離を演算する第２の測距手段と、
上記第１の測距手段により演算された被写体距離の信頼性を判断し、上記第１の測距手段により演算された被写体距離の信頼性がないと判断した場合には、上記第２の測距手段を作動させる制御手段と、
を有することを特徴とする測距装置。
【請求項２】
被写体を照明する補助光手段と、
所定の間隔で配置された一対の光学手段と、
上記各光学手段を通過した上記被写体からの光を受光して積分することにより２つの像信号を出力する受光手段と、
上記２つの像信号の相対的像間隔に基いて被写体距離を演算する第１の測距手段と、
上記補助光手段による照明時と非照明時の被写体からの光を受光する際に、積分量が所定値に達するまでのそれぞれの積分時間から求められる光量差に相当する情報に基いて被写体距離を演算する第２の測距手段と、
上記第１の測距手段により演算された被写体距離の信頼性を判断し、上記第１の測距手段により演算された被写体距離の信頼性がないと判断した場合には、上記第２の測距手段を作動させる制御手段と、
を有することを特徴とする測距装置。
【請求項３】
被写体を照明する補助光手段と、
所定の間隔で配置された一対の光学手段と、
上記各光学手段を通過した上記被写体からの光を受光して積分することにより２つの像信号を出力する受光手段と、
上記２つの像信号の相対的像間隔に基いて被写体距離を演算する第１の測距手段と、
上記補助光手段による照明時と非照明時の被写体からの光を受光する際に、所定の積分時間内のそれぞれの積分量から求められる光量差に相当する情報に基いて被写体距離を演算する第２の測距手段と、
上記第１の測距手段により演算された被写体距離の信頼性を判断し、上記第１の測距手段により演算された被写体距離の信頼性がないと判断した場合には、上記第２の測距手段を作動させる制御手段と、
を有することを特徴とする測距装置。
【発明の詳細な説明】
【０００１】
【発明の属する技術分野】
この発明は、被写体の距離に応じてカメラのピント調節を自動的に行うための測距装置に関するものである。更に詳しくは、所定の間隔で配置された一対のレンズにより形成される被写体の第１の像と第２の像の相対的像間隔を求めることにより被写体距離を検出する測距装置に於いて、測距が不能の場合の対処方法に関する発明である。
【０００２】
【従来の技術】
従来、パッシブ方式のＡＦ（オートフォーカス）を用いたカメラに於いて、測距不能の場合は、シャッタを切れなくするロック処理が施されたり、被写体距離に拘らずフォーカシングレンズを所定の位置に繰り出してシャッタを切るといった処理が施されていた。
【０００３】
また、特開昭６４−８４２３１号公報に開示されているような、ストロボを使用しないような明るい被写体に対してはフォーカシングレンズを無限位置に繰り出し、ストロボを使用する暗い被写体に対してはフォーカシングレンズをストロボの到達距離に繰り出す対処方法も知られている。
【０００４】
更に、特開昭６４−７８２０６号公報には、被写体が低輝度、低コントラストの場合に補助光のみのＣＣＤデータを出力し、そのデータを使って位相差検出法による測距を行う技術が開示されている。
【０００５】
【発明が解決しようとする課題】
しかしながら、上述したような従来技術のうち、ロック処理以外の技術では、被写体距離とは何等関連もなくフォーカシングレンズを繰り出し、撮影してしまうため、ピンポケ写真が非常に多いものであった。もともと、こうした従来技術は、撮影できないという違和感及び不満感を取り除くことを目的に工夫された技術であると考えられる。しかしながら、ピンボケ写真が多くては目的が達成されているとは言えず、ピンボケ写真をいかにして減少させるかという課題を有している。
【０００６】
また、上記特開昭６４−７８２０６号公報による技術では、補助光をオンした状態で、ＣＣＤセンサの各素子について相関演算するのに十分なデータを取得する（積分する）のに時間がかかる。加えて、測距演算が複雑であるため、高速の演算手段（ＣＰＵ）が必要となっている。そのため、装置のコストアップにつながるものであった。
【０００７】
この発明は上記課題に鑑みてなされたものであり、その目的は、測距不能の場合でも撮影が可能で、ピンポケ写真を減少させることができ、装置のコストアップを防止することのできる測距装置を提供することである。
【０００８】
【課題を解決するための手段】
すなわちこの発明は、被写体を照明する補助光手段と、所定の間隔で配置された一対の光学手段と、上記各光学手段を通過した上記被写体からの光を受光して積分することにより２つの像信号を出力する受光手段と、上記２つの像信号の相対的像間隔に基いて被写体距離を演算する第１の測距手段と、上記補助光手段による照明時と非照明時の上記受光手段の出力する像信号から求められる光量差に相当する情報に基いて被写体距離を演算する第２の測距手段と、上記第１の測距手段により演算された被写体距離の信頼性を判断し、上記第１の測距手段により演算された被写体距離の信頼性がないと判断した場合には、上記第２の測距手段を作動させる制御手段と、を有することを特徴とする。
更にこの発明は、被写体を照明する補助光手段と、所定の間隔で配置された一対の光学手段と、上記各光学手段を通過した上記被写体からの光を受光して積分することにより２つの像信号を出力する受光手段と、上記２つの像信号の相対的像間隔に基いて被写体距離を演算する第１の測距手段と、上記補助光手段による照明時と非照明時の被写体からの光を受光する際に、積分量が所定値に達するまでのそれぞれの積分時間から求められる光量差に相当する情報に基いて被写体距離を演算する第２の測距手段と、上記第１の測距手段により演算された被写体距離の信頼性を判断し、上記第１の測距手段により演算された被写体距離の信頼性がないと判断した場合には、上記第２の測距手段を作動させる制御手段と、を有することを特徴とする。
【０００９】
またこの発明は、被写体を照明する補助光手段と、所定の間隔で配置された一対の光学手段と、上記各光学手段を通過した上記被写体からの光を受光して積分することにより２つの像信号を出力する受光手段と、上記２つの像信号の相対的像間隔に基いて被写体距離を演算する第１の測距手段と、上記補助光手段による照明時と非照明時の被写体からの光を受光する際に、所定の積分時間内のそれぞれの積分量から求められる光量差に相当する情報に基いて被写体距離を演算する第２の測距手段と、上記第１の測距手段により演算された被写体距離の信頼性を判断し、上記第１の測距手段により演算された被写体距離の信頼性がないと判断した場合には、上記第２の測距手段を作動させる制御手段と、を有することを特徴とする。
【００１０】
この発明の測距装置にあっては、被写体が補助光手段によって照明され、所定の間隔で配置された一対の光学手段をそれぞれ通過した上記被写体からの光が、受光手段で受光されて積分されることにより２つの像信号が出力される。上記２つの像信号の相対的像間隔に基いて、第１の測距手段によって被写体距離が演算される。また、第２の測距手段では、上記補助光手段による照明時と非照明時の上記受光手段の出力する像信号から求められる光量差に相当する情報に基いて、被写体距離が演算される。そして、制御手段にて、上記第１の測距手段により演算された被写体距離の信頼性が判断され、上記第１の測距手段により演算された被写体距離の信頼性がないと判断された場合には、上記第２の測距手段が作動される。
更にこの発明の測距装置にあっては、被写体が補助光手段によって照明され、所定の間隔で配置された一対の光学手段を通過した上記被写体からの光が、受光手段で受光されて積分されることにより２つの像信号が出力される。上記２つの像信号の相対的像間隔に基いて、第１の測距手段で被写体距離が演算される。また、第２の測距手段では、上記補助光手段による照明時と非照明時の被写体からの光を受光する際に、積分量が所定値に達するまでのそれぞれの積分時間から求められる光量差に相当する情報に基いて、被写体距離が演算される。そして、制御手段にて、上記第１の測距手段により演算された被写体距離の信頼性が判断され、上記第１の測距手段により演算された被写体距離の信頼性がないと判断された場合には、上記第２の測距手段が作動される。
【００１１】
またこの発明の測距装置にあっては、被写体が補助光手段によって照明され、所定の間隔で配置された一対の光学手段を通過した上記被写体からの光が、受光手段で受光されて積分されることにより２つの像信号が出力される。そして、第１の測距手段によって、上記２つの像信号の相対的像間隔に基いて被写体距離が演算され、第２の測距手段によって、上記補助光手段による照明時と非照明時の被写体からの光を受光する際に、所定の積分時間内のそれぞれの積分量から求められる光量差に相当する情報に基いて被写体距離が演算される。制御手段では、上記第１の測距手段により演算された被写体距離の信頼性が判断され、上記第１の測距手段により演算された被写体距離の信頼性がないと判断された場合には、上記第２の測距手段が作動される。
【００１２】
【発明の実施の形態】
以下、図面を参照してこの発明の実施の形態を詳細に説明する。
図１は、この発明の測距装置の概念を示すブロック構成図である。
図１に於いて、この測距装置は、被写体１に対して補助光を発光する補助光発光部２と、所定の間隔で配置された一対のレンズから成る光学部３と、複数の光電変換素子から成り、上記光学部３の各レンズにより収束した被写体像を受光して、該被写体像の光量に応じた電気的像信号を出力する受光部４と、演算部５と、制御部６及び記憶部７とより構成されている。
【００１３】
上記補助光発光部２は、例えばＬＥＤ、ランプ、ストロボ等により構成される。また、上記演算部５は、受光部４により得られた２つの像信号の相対的像間隔に基いて被写体距離を演算する機能と、上記補助光発光部２による補助光の照明時と非照明時の受光部４の出力から被写体輝度を演算する機能と、得られた被写体輝度から被写体距離を演算する機能とを少なくとも有している。
【００１４】
上記制御部６は、少なくとも補助光発光部２、演算部５及び記憶部７の動作を制御する。この制御部６は、上記演算された被写体輝度の結果に基いて、補助光発光部２を動作させるか否かを判定する被写体輝度判走手段を含んでいる。また、測距動作以外の、力メラの所定の動作も制御するようにしても良い。上記記憶部７は、受光部４により得られた像信号を記憶するものである。
【００１５】
尚、図１では光学部３及び受光部４と共にＡＦモジュール（図示せず）を構成するようにしても良い。
更に、上記演算部５と制御部６は、１つのＣＰＵで構成することもできる。
【００１６】
次に、図２のフローチャートを参照して、この発明の第１の実施の形態で測距装置が適用されたカメラの動作について説明する。
撮影者によってカメラのレリーズ釦が押されると測距動作が開始され、先ずステップＳ１に於いて受光部３の初期化が実行される。この初期化には、受光部３への電源供給やセンサ感度の設定等の処理が含まれる。
【００１７】
次に、ステップＳ２〜Ｓ５にて、補助光発光部２による被写体の照明を必要とするかどうかが制御部６で判断される。これにより、必要に応じて補助光発光部２による被写体の照明が行われる。
【００１８】
すなわち、ステップＳ２にて受光部４での像信号の取得が開始されると、続くステップＳ３にて被写体１の輝度の判定がなされる。ここで、被写体輝度が明るいと判断された場合はステップＳ６へ、暗いと判断された場合はステップＳ４へ移行する。
【００１９】
ステップＳ４では、補助光を発光するため、補助光発光部２から被写体１に対して照明が発光される。次いで、ステップＳ５にて、光学部３を介して受光部４で補助光照明時の像信号取得のためのリセット及び再スタートがなされる。
【００２０】
尚、同実施の形態は、被写体照明を必要とするかどうかの判断を測距用の受光部４の出力を用いて行う例であり、カメラの露出用の測光手段（図示せず）の出力により判断する場合も考えられる。
【００２１】
そして、ステップＳ６にて、受光部４の像信号の取得が終了し、被写体１の第１及び第２の像信号が得られる。受光部４にて量子化された像信号は、記憶部７に記憶される。
【００２２】
次いで、ステップＳ７では、第１の演算が実行される。第１の演算は、被写体１の第１及び第２の像信号の相対的像間隔（または、位相差）を算出する演算であり、一般的に相関手段等と称されている公知の技術である。
【００２３】
次に、ステップＳ８に於いて、被写体１の第１及び第２の像信号から、被写体１のコントラストか低い、または第１及び第２の像信号の一致度が低い等の情報が検出され、第１の演算の演算結果が評価される。この評価結果により第１の演算による演算結果の信頼性が低いとされる場合は、測距不能であると判断される。
【００２４】
測距ポイントが複数存在するマルチＡＦ等の場合は、全ての測距ポイントに対する演算結果の信頼性が低かったときに測距不能であると判断される。測距可能／不能の判断は、制御部６によって判断され、測距が可能であったか不能であったかの信号が出力される。
【００２５】
上記ステップＳ８にて、第１の演算による演算結果の信頼性が高いとされ、測距が正常になされたと判断された場合は、ステップＳ９へ移行する。このステップＳ９では、第２の演算により被写体１の第１及び第２の像信号の相対的像間隔が被写体の距離情報に変換される。
【００２６】
続くステップＳ１０では補助光の有無が判断される。ここで、補助光発光部２による被写体１への照明が行われている場合は、ステップＳ１１に移行して照明が終了され、測距動作が完了する。ステップＳ１０及びＳ１１の実行タイミングは、ステップＳ６の実行後であれぱ良く、特に限定を必要としない。
【００２７】
上記ステップＳ８にて、第１の測距モードでは測距不能であると判断された場合は、ステップＳ１２へ移行する。そして、このステップＳ１２に於いて、補助光の有無が判断される。ここで、補助光発光部２による被写体の照明が行われていない場合は、ステップＳ１３に移行して照明が開始される。このとき、補助光発光部２にランプ等の発光開始から発光光量が安定するまでの時間が長いものを用いた場合は、発光安定待ち時間が必要となる。
【００２８】
次いで、ステップＳ１４及びＳ１５で、補助光発光部２による照明時の被写体１の第１及び第２の像信号が取得される。更に、ステップＳ１６〜Ｓ１８では、補助光発光部２による照明が終了されて、照明がないときの被写体１の第１及び第２の像信号が取得される。
【００２９】
ステップＳ１９では、第３の演算が実行される。すなわち、補助光発光部２による被写体１の照明時と非照明時の被写体１からの光量の相違から、補助光光量が算出される。続いて、ステップＳ２０では第４の演算が実行され、補助光光量が被写体１の距離情報に変換されて、測距動作が終了する。
【００３０】
以上のように、第１の実施の形態の概要は、先ず、第１の測距モードで測距を行い、この測距が正常と判断されれば測距を終了して第１の測距モードによる測距結果を被写体距離情報とし、一方、異常と判断されれば第２の測距モードで測距を行って、第２の測距モードによる測距結果を被写体距離情報とするというものである。
【００３１】
次に、図３のフローチャートを参照して、第２の測距モードに関する動作を詳細に説明する。
先ず、ステップＳ２１にて、補助光発光部２による被写体照明が開始される。これに続いて、ステップＳ２２で受光部４の像信号取得（以下、積分と記す）が開始される。尚、上記ステップＳ２１とステップＳ２２の間に、補助光発光安定待ち時間が必要となる場合もある。
【００３２】
次いで、ステップＳ２３にて計時が開始される。この積分が開始されると、続くステップＳ２４にて被写体１の最も明るい部分が検出され、これに対応する積分量がモニタされる。ステップＳ２５は積分の時間に関するリミッタであり、積分が長時間に及ぶ場合は、後述するステップＳ４２へ移行して無限処理が行われる。
【００３３】
上記ステップＳ２５で積分が所定時間内で終了した場合には、ステップＳ２６に移行して積分量が所定量に達したか否かが判断される。ここで、積分量が所定量に達していない場合は上記ステップＳ２４に戻る。一方、積分量が所定量に達したことが検出されると、ステップＳ２７〜Ｓ２９に移行して、順に計時の終了、計時結果ｔ1 の取得、積分の終了が行われる。
【００３４】
次に、ステップＳ３０にて、補助光発光部２による被写体照明が停止されて、再度被写体１の最も明るい部分の積分量が所定量になるまでの時間ｔ2 がステップＳ３１〜Ｓ３８で測定される。すなわち、ステップＳ３１にて受光部４の積分が開始され、ステップＳ３２で計時が再び開始される。そして、ステップＳ３３で被写体の最も明るい部分が検出され、これに対応する積分量がモニタされる。ステップＳ３４は積分の時間に関するリミッタであり、積分が長時間に及ぶ場合は、後述するステップＳ４０へ移行して暗黒中処理が行われる。
【００３５】
上記ステップＳ３４で積分が所定時間内で終了した場合には、ステップＳ３５に移行して積分量が所定量に達したか否かが判断される。ここで、積分量が所定量に達していない場合は上記ステップＳ３３に戻る。一方、積分量が所定量に達したことが検出されると、ステップＳ３６〜Ｓ３８に移行して、順に計時の終了、計時結果ｔ2 の取得、積分の終了が行われる。
【００３６】
尚、上記ステップＳ３０とステップＳ３１の間に補助光完全消灯待ち時間が必要となる場合もある。
このように、ステップＳ２１〜Ｓ３８に於いて、被写体照明時の積分時間ｔ1 と被写体非照明時の積分時間ｔ2 が求められる。
【００３７】
次に、ステップＳ３９にて、補助光光量に相当する積分時間ｔが求められる。
図４は、被写体１の最も明るい部分の光電流の積分特性で、積分時間ｔ1 及びｔ2 の関係を表した図である。
【００３８】
図４に示される、特性直線“定常光＋補助光”から特性直線“定常光のみ”を差引くと、特性直線“補助光のみ”になる。この関係に於いて、積分時間ｔは、下記（１）式で求められる。
ｔ＝ｔ1 ×ｔ2 ／（ｔ1 −ｔ2 ）                      …（１）
上記（１）式は、高輝度下または測定誤差、無限遠、遠距離等が原因で分母が０以下になることがあるが、この場合、分母を０として被写体距離を無限遠または遠距離と判断する。補助光光量が求まれぱ、補助光光量が被写体距離の２乗に反比例することから、被写体距離を求めることができる。
【００３９】
ステップＳ４０では、暗黒中処理が行われる。この暗黒中処理は、被写体１を補助光発光部２により照明しないときの積分が殆ど進まない場合、つまり、被写体１が暗黒中の場合に実行されるもので、ｔ2 ＝０、ｔ＝ｔ1 とするものである。
【００４０】
また、ステップＳ４１では、被写体距離が求められる。被写体距離は、仮に１ｍに於ける補助光光量ａを調整値として記憶部７に記憶しておけば、これを基準として下記（２）式で求めることができる。具体的にａは１ｍ離れた位置に標準反射板（灰色：反射率１８％）を置いて測定した補助光光量であり、これを基準として光量測距が行われる。実際の被写体１の反射率と標準反射板の反射率の差が測距誤差につなかるが、調整用チャートにカメラの露出を決める際の基準にされている標準反射板と、補助光発光部２に発光の分光特性が比較的フラットなランプを選択することで、実際の被写体１の反射率の分布に於いて測距誤差か最小になるように設計する。
【００４１】
【数１】
0003944287.tif 000002
【００４２】
上記ステップＳ４２の無限処理は、被写体１を補助光発光部２により照明されても積分が殆ど進まない場合、つまり、被写体１が無限遠且つ暗黒中の場合に実行され、演算が一切行われずに被写体距離が無限遠または遠距離とされるものである。
【００４３】
以上のように、第１の実施の形態によれば、位相差方式による測距が不能な場合でも被写体距離を測距することが可能である。
次に、この発明の第２の実施の形態について説明する。
【００４４】
図５は、この発明の第２の実施の形態の第２の測距モードに関する動作を説明するフローチャートである。その他の部分は、上述した第１の実施の形態と同様であるので説明を省略する。
【００４５】
先ず、ステップＳ５１〜Ｓ５９に於いて、補助光発光部２による被写体照明時の積分が行われる。尚、ステップＳ５１〜Ｓ５４は上述した図３のフローチャートに於けるステップＳ２１〜Ｓ２４と同様であるので説明は省略する。
【００４６】
ステップＳ５５は積分の時間に関するリミッタであり、所定時間に達していない場合は、上記ステップＳ５４に戻る。一方、積分が所定時間以上要した場合には、ステップＳ５６に移行して積分量が所定量に達したか否かが判断される。
【００４７】
ここで、積分量が所定量に達していない場合、すなわち積分量ｖ1 が所定量以下の場合、被写体が無限遠且つ、暗黒中であると判断され、後述するステップＳ７２へ移行する。一方、積分量が所定量に達したことが検出されると、ステップＳ５７〜Ｓ５９に移行して、順に積分の終了、積分量ｖ1 の取得、計時の終了が行われる。このように、積分開始から所定時間後の被写体１の最も明るい部分の積分量ｖ1 が測定される。
【００４８】
次に、ステップＳ６０〜Ｓ６８に於いて、被写体１の非照明時の積分が行われる。尚、ステップＳ６０〜Ｓ６３は上述した図３のフローチャートに於けるステップＳ３０〜Ｓ３３と同様であるので説明は省略する。
【００４９】
ステップＳ６４は積分の時間に関するリミッタであり、所定時間に達していない場合は、上記ステップＳ６３に戻る。一方、積分が所定時間以上要した場合には、ステップＳ６５に移行して積分量が所定量に達したか否かが判断される。
【００５０】
ここで、積分量が所定量に達していない場合、すなわち積分量ｖ2 が所定量以下の場合、被写体が暗黒中であると判断され、後述するステップＳ７０へ移行する。一方、積分量が所定量に達したことが検出されると、ステップＳ６６〜Ｓ６８に移行して、順に積分の終了、積分量ｖ2 の取得、計時の終了が行われる。このように、積分開始から所定時間後の被写体の最も明るい部分の積分量ｖ2 が測定される。
【００５１】
ステップＳ６９では、下記（３）式に従ってｖ1 、ｖ2 から補助光光量に相当する積分量ｖが求められる。尚、調整値ｂの決定方法は、上述した調整値ａの決定方法と同様である。
【００５２】
ｖ＝ｖ1 −ｖ2                                       …（３）
また、ステップＳ７０では暗黒中処理が行われる。この暗黒中処理は、積分量ｖ2 ＝０、ｖ＝ｖ1 とするものである。そして、ステップＳ７１にて、上記ｖより、下記（４）式に従って被写体距離Ｌが求められる。
【００５３】
【数２】
0003944287.tif 000003
【００５４】
更に、ステップＳ７２では、無限処理が行われる。この無限処理は、被写体距離Ｌを、演算を一切行わずに無限遠または遠距離にするためのものである。
図６は、被写体の最も明るい部分の光電流の積分特性で、積分量ｖ1 、ｖ2 とｖの関係を表した図である。
【００５５】
図６に於いて、特性直線“定常光＋補助光”から特性直線“定常光のみ”を差引くと、特性直線“補助光のみ”になることがわかる。
以上のように、この発明の第２の実施の形態によれば、位相差方式による測距が不能な場合でも被写体距離を測距することが可能である。
【００５６】
尚、上記各実施の形態に於いて、第２の測距モードに於いて、第１及び第２の像信号を用いて補助光光量を算出したが、何れか一方の像信号を用いても良い。
また、この発明の上記実施態様によれば、以下の如き構成を得ることができる。
すなわち、
（１）  被写体を第１及び第２の像として形成する所定の間隔で配置された一対の光学手段と、
第１及び第２の像を受光して第１及び第２の電気的像信号に変換する受光手段と、
被写体を照明する補助光手段と、
上記光学手段、受光手段及び補助光手段の作用によって得られる被写体の第１及び第２の電気的像信号の相対的像間隔を求める第１の演算手段と、
被写体の第１及び第２の電気的像信号の相対的像間隔に基いて被写体距離を求める第２の演算手段とから成る測距装置に於いて、
上記補助光手段による被写体照明時と非照明時の相違から補助光手段のみが被写体の照明光源である場合の、定常光を除去した被写体輝度である補助光光量を求める第３の演算手段と、
この第３の演算手段より求められた補助光光量に基いて被写体距離を求める第４の演算手段とを具備し、
上記第１及び第２の演算手段による測距動作と第３及び第４の演算手段による測距動作をそれぞれ第１及び第２の測距モードとして、通常は第１の測距モードで測距を行い、該第１の測距モードが測距不能な場合に限り、第２の測距モードで測距を行うことを特徴とする測距装置。
【００５７】
（２）  上記受光手段は複数の光電変換素子から成る撮像素子で構成され、上記第３の演算手段は被写体照明時と非照明時の被写体の最も明るい部分の光電流の積分量が所定量になる迄の時間に基いて補助光光量を求めることを特徴とする上記（１）に記載の測距装置。
【００５８】
（３）  上記第２の測距モードは、補助光手段による被写体照明時の積分量が所定時間内に所定量に達しないとき積分を所定時間で終丁し、上記第３及び第４の演算手段は、被写体距離を無限遠若しくは遠距離と判断することを特徴とする上記（１）、（２）に記載の測距装置。
【００５９】
（４）  上記第２の測距モードは、補助光手段による被写体の非照明時の積分量が所定時間内に所定量に達しないとき積分を所定時間で終了し、上記第３及び第４の演算手段は、被写体が暗黒中に存在すると判断し被写体照明時の積分時間のみを用いて補助光光量を求めることを特徴とする上記（１）、（２）に記載の測距装置。
【００６０】
（５）  上記第２の測距モードは、補助光手段による被写体照明時の積分を先に実行し、続いて被写体の非照明時の積分を実行することを特徴とする上記（１）乃至（４）に記載の測距装置。
【００６１】
（６）  上記受光手段は複数の光電変換繁子から成る撮像素子であり、上記第２の演算手段は被写体照明時と非照明時の複写体の最も明るい部分の光電流の積分量が所定時間内に積分される量に基いて、補助光光量を推測することを特徴とする上記（１）に記載の測距装置。
【００６２】
（７）  上記第２の測距モードは、上記補助光手段による被写体照明時の所定時間内の積分量が所定量以上変化しないとき積分を所定時間で終了し、上記第３及び第４の演算手段は、被写体距離を無限遠若しくは遠距離と判断することを特徴とする上記（１）、（６）に記載の測距装置。
【００６３】
（８）  上記第２の測距モードは、補助光手段による被写体の非照明時の所定時間内の積分量が所定量以上変化しないとき積分を所定時間で終了し、上記第３及び第４の演算手段は、被写体が暗黒中に存在すると判断し被写体照明時の積分量のみを用いて補助光光量を求めることを特徴とする上記（１）、（６）に記載の測距巨装置。
【００６４】
（９）  上記第２の測距モードは、補助光手段による被写体照明時の積分を先に実行し、続いて被写体の非照明時の積分を実行することを特徴とする上記（１）、（６）、（７）、（８）に記載の測距装置。
【００６５】
（１０）  位相差検出法により被写体距離を求める第１の測距手段と、
補助光光量検出により被写体距離を求める第２の測距手段とを有し、
上記第１の測距手段による測距不能の場合には、上記第２の測距手段を作動させることを特徴とする測距装置。
【００６６】
（１１）  被写体を照明する補助光手段と、
所定の間隔で配置された一対の光学手段と、
上記各光学手段を通過した上記被写体からの光を受光して２つの像信号を出力する受光手段と、
上記２つの像信号の相対的像間隔に基いて被写体距離を演算する第１の測距手段と、
上記光学手段の少なくとも何れか一方を通過した、上記補助光手段による照明時と非照明時の被写体からの光量差に基いて被写体距離を演算する第２の測距手段と、
上記第１の測距手段により演算された被写体距離の信頼性を判断し、上記第１の測距手段により演算された被写体距離の信頼性がないと判断した場合には、上記第２の測距手段を作動させる制御手段と
を有することを特徴とする測距装置。
【００６７】
（１２）  上記第２の測距手段は、上記補助光による照明時と非照明時に於ける、所定の時間内の、上記撮像素子の積分量の差に基いて被写体距離を演算する上記（１１）に記載の測距装置。
【００６８】
（１３）  上記第２の測距手段は、上記補助光による照明時と非照明時に於ける、上記撮像素子の積分量が所定値に達するまでの時間の差に基いて被写体距離を演算することを特徴とする上記（１１）に記載の測距装置。
【００６９】
（１４）  上記補助光による照明時に於いて、所定の時間内に上記撮像素子の積分量が所定量に達しない場合には、無限遠若しくは遠距離と判断することを特徴とする上記（１２）、（１３）に記載の測距装置。
【００７０】
（１５）  上記第２の測距手段で演算される積分量は、被写体の最も明るい部分に対応する撮像素子の積分量であることを特徴とする上記（１２）、（１３）に記載の測距装置。
【００７１】
（１６）  被写体を照明する補助光手段と、
所定の間隔で配置された一対の光学手段と、
上記各光学手段を通過した上記被写体からの光を受光して２つの像信号を出力する受光手段と、
上記２つの像信号の相対的像間隔に基いて被写体距離を演算する第１の測距手段と、
上記補助光手段の照明に起因した被写体からの反射光量、つまり、補助光手段による照明時と非照明時の被写体からの光量差に基いて被写体距離を演算する第２の測距手段と、
上記第１の測距手段により演算された被写体距離の信頼性を判断し、上記第１の測距手段により演算された被写体距離の信頼性がないと判断した場合には、上記第２の測距手段を作動させる制御手段と
を有することを特徴とする測距装置。
【００７２】
【発明の効果】
以上のようにこの発明によれば、苦手被写体等、位相差方式の測距が不能な場合でも、正確なピント合わせが可能な測距装置を、簡単な構成でコストアップ等の発生もなく提供することが可能である。また、この発明によれば、最も明るい部分の積分量をモニタするだけで足りるので、演算処理が短時間ですむ。
【図面の簡単な説明】
【図１】この発明の測距装置の概念を示すブロック構成図である。
【図２】この発明の第１の実施の形態で測距装置が適用されたカメラの動作について説明するフローチャートである。
【図３】第２の測距モードに関する動作を詳細に説明するフローチャートである。
【図４】被写体の最も明るい部分の光電流の積分特性で、積分時間ｔ1 及びｔ2 の関係を表した図である。
【図５】この発明の第２の実施の形態の第２の測距モードに関する動作を説明するフローチャートである。
【図６】被写体の最も明るい部分の光電流の積分特性で、積分量ｖ1 、ｖ2 とｖの関係を表した図である。
【符号の説明】
１  被写体、
２  補助光発光部、
３  光学部、
４  受光部、
５  演算部、
６  制御部、
７  記憶部。
【図１】
0003944287.tif 000004
【図２】
0003944287.tif 000005
【図３】
0003944287.tif 000006
【図４】
0003944287.tif 000007
【図５】
0003944287.tif 000008
【図６】
0003944287.tif 000009